【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
加圧された呼吸可能な空気を患者へ選択的に供給するよう構成された空気源と、
前記患者からの呼吸気流を感知し、気流を示す気流信号を生成するよう構成された流量検出機器と、
前記流量検出機器に接続され、前記患者の気道の部分閉塞を検出する方法を実施するよう構成された閉塞検出器と、
前記流量検出機器に接続され、前記空気源の動作を制御し、前記部分閉塞を示す閉塞信号を受け取り、前記閉塞信号に応答して前記空気源の動作を変更するよう構成されたコントローラと
を備える呼吸装置であって、
前記方法が、
前記患者からの前記呼吸気流を測定するステップと、
呼吸気流の吸息部分を検出するステップと、
前記吸息部分を整形して、呼息休止を除去するステップと、
派生物の効果を正規化するステップと、
吸息流量を参照値へ尺度変更するステップと、
吸息気流の中心部分の平均偏差を計算するステップと、
前記平均偏差から平坦化指数を計算するステップと、
移動平均フィルタを用いて前記平坦化指数をフィルタリングするステップと
を含むものである、呼吸装置。
【請求項２】
正の前記閉塞信号に応答して、前記コントローラは、前記患者へ配送された前記呼吸可能な気体の圧力を増加するよう構成されている、請求項１に記載の呼吸装置。
【請求項３】
睡眠障害を有する患者を監視及び／又は治療する装置であって、
前記患者の呼吸を感知して、対応する流量信号を生成するよう構成された流量検出機器と、
前記流量検出機器に接続され、前記患者の気道の部分閉塞を検出する方法を実施するよう構成された閉塞検出器と
を備え、
前記方法が、
前記患者からの呼吸気流を測定するステップと、
呼吸気流の吸息部分を検出するステップと、
吸息部分を整形して、呼息休止を除去するステップと、
派生物の効果を正規化するステップと、
吸息流量を参照値へ尺度変更するステップと、
吸息気流の中心部分の平均偏差を計算するステップと、
前記平均偏差から平坦化指数を計算するステップと、
移動平均フィルタを用いて前記平坦化指数をフィルタリングするステップと、
を含むものであり、
前記閉塞検出器が信号生成器を含み、前記信号生成器が前記平坦化指数に基づいて気道閉塞を示す信号を生成するよう構成されている、装置。
【請求項４】
睡眠障害を有する患者を治療する装置であって、
マスクと、
前記マスクを介して、加圧されて呼吸可能な空気を、患者へ選択的に供給するよう構成された気体源と、
気流を感知し、呼吸を示す流量信号を生成するよう構成された流量検出機器と、
流量検出機器に接続され、患者の気道の部分閉塞を検出すると共に閉塞信号を生成する方法を実施するよう構成された閉塞検出器と、
前記閉塞信号を受け取り、それに応答して気体源を活性化する指令を生成するよう構成されたコントローラと
を備え、
前記方法が、
患者からの呼吸気流を測定するステップと、
呼吸気流の吸息部分を検出するステップと、
吸息部分を整形して、呼息休止を除去するステップと、
派生物の効果を正規化するステップと、
吸息流量を参照値へ尺度変更するステップと、
吸息気流の中間部分の平均偏差を計算するステップと、
平均偏差から平坦化指数を計算するステップと、
移動平均フィルタを用いて平坦化指数をフィルタリングするステップと
を含むものである、装置。
【請求項５】
息における吸息半サイクル及び呼息半サイクルを検出する呼吸装置であって、
加圧された呼吸可能な空気を患者へ選択的に供給するよう構成された空気源と、
前記患者からの呼吸気流を感知し、気流を示す気流信号を生成するよう構成された流量検出機器と、
前記流量検出機器に接続され、前記患者の気道の部分閉塞を検出する方法を実施するよう構成された閉塞検出器と
を備え、
前記方法が、
吸息のスタートを検出するステップと、
暫定的に、前記吸息のスタートを、吸息気流が所定の閾値を超過した時間とするステップと、
全容量が所定の値へ到達する前に、流量がゼロよりも下へ再び降下するならば、前記吸息のスタートを拒絶するステップと、
暫定的に、呼息のスタートを、呼息気流がゼロよりも下へ降下した時間とするステップと、
全呼息容量が所定値へ到達する前に、気流が吸息方向で所定値よりも上へ進むならば、前記呼息のスタートを拒絶するステップと
を含む、呼吸装置。
【請求項６】
前記流量検出機器に接続された前記閉塞検出器により実施される前記方法が、前記吸息半サイクルに含まれた呼息終期休止を整形するステップを更に含む、請求項５に記載の呼吸装置。
【請求項７】
前記流量検出機器に接続された前記閉塞検出器により実施される前記方法が、
前記流量がピーク吸息流量の所定の百分率へ最初に到達した時間を突き止める工程と、
前記流量がピークの第２の所定の百分率へ最後に到達した時間を逆方向に探索する工程と、
逆方向に外挿して、前記流量がゼロになるべき時間を見出す工程と
によって、前記吸息がスタートした最も早い時間を見出すステップを更に含む、請求項５に記載の呼吸装置。
【請求項８】
前記流量検出機器に接続された前記閉塞検出器により実施される前記方法が、
（ａ）波を同じ低域フィルタへ２回通過させる工程と、
（ｂ）１回目にフィルタリングされた前記波から２回目にフィルタリングされた前記波を減じて、フィルタ効果の第１順位近似値を与える工程と、
（ｃ）この差分を元の前記波へ加える工程と
によって、流量・時間曲線に対する前記低域フィルタの近似効果を逆にするステップを更に含む、請求項５に記載の呼吸装置。
【請求項９】
前記流量検出機器に接続された前記閉塞検出器により実施される前記方法が、前記吸息流量・時間曲線を単位長さ及び単位平均高さへ尺度変更する工程によって、行き過ぎの効果を正規化するステップを更に含む、請求項５に記載の呼吸装置。
【請求項１０】
前記流量検出機器に接続された前記閉塞検出器により実施される前記方法が、前記波の中間部分について、参照振幅（Ｍ）からの、吸息波の平均偏差を計算するステップを更に含む、請求項５に記載の呼吸装置。
【請求項１１】
前記中間部分は吸い込み波の１／４であって中心にあり、前記平均偏差は、次式
【数１】
2009528857.tif 000001
によって前記平均偏差を決定するステップを更に含む、請求項５に記載の呼吸装置。
【請求項１２】
前記流量検出機器に接続された前記閉塞検出器により実施される前記方法が、次式
【数２】
2009528857.tif 000002
によって平坦化指数（ＦＩ）を決定するステップを更に含む、請求項１１に記載の呼吸装置。
【請求項１３】
前記流量検出機器に接続された前記閉塞検出器により実施される前記方法が、複数息点別移動平均流量・時間曲線を更新するステップを更に含む、請求項５に記載の呼吸装置。
【請求項１４】
前記流量検出機器に接続された前記閉塞検出器により実施される前記方法が、
前記波の前記中間部分におけるピーク流量を推定する工程と、
前記ピーク流量を超過する部分の外側にある各々の点を前記ピーク流量へリセットする工程と
によって、前記行き過ぎの影響を低減するステップを更に含む、請求項５に記載の呼吸装置。
【請求項１５】
前記流量検出機器に接続された前記閉塞検出器により実施される前記方法が、外側部分で前記ピーク流量よりも大きい標本がなくなるまでプロセスを継続する工程によって、前記行き過ぎの影響を低減するステップ含む、請求項１４に記載の呼吸装置。
【請求項１６】
前記流量検出機器に接続された前記閉塞検出器により実施される前記方法が、
前記波をｎ個の部分に分割し、各々の部分について平均振幅を計算するステップと、
どの種類の前記波をパターンが示すかを決定するステップと、
前記行き過ぎが示されるならば、平坦化を低としてマークするステップと
を更に含む、請求項５に記載の呼吸装置。
【請求項１７】
前記流量検出機器に接続された前記閉塞検出器により実施される前記方法が、
前記波の中間半分においてｎ個の前記標本ごとに前記平坦化の推定値を計算するステップと、
平坦化指数を、全ての標本順列について取得された最低値に対応する値としてマークするステップと
を更に含む、請求項５に記載の呼吸装置。
【請求項１８】
前記流量検出機器に接続された前記閉塞検出器により実施される前記方法が、
前記吸息波を特徴ベクトル及び直交する基底ベクトル行列対へ分解する工程と、
時間区間を正規化して、前記吸息がゼロで始まってＢラジアンで終わるようにする工程と、
基底行列の疑似逆を見出す工程と、
該疑似逆に吸息波形を乗じて因子を見出す工程と
によって、吸息波パターンがＭ形を有するかどうかを決定するステップを更に含む、請求項５に記載の呼吸装置。
【請求項１９】
前記流量検出機器に接続された前記閉塞検出器により実施される前記方法が、
多くの患者について線形空間をマップし、個々の前記患者を表す点が落ちる集団を記録するステップと、
Ｍ集団中心からのユークリッド距離測定によって、前記息が前記Ｍ形であるかどうかを決定するステップと
を更に含む、請求項５に記載の呼吸装置。